(57)【要約】      （修正有）【課題】ブシュ端部から内プレートの外側面と外プレートの内側面との間に滲出した潤滑油の外部漏出を抑制してブシュと連結ピンとの潤滑油状態を長期に亘って維持するとともに潤滑油の熱劣化を回避し、しかも、潤滑油の外部漏出を抑制する油保留部を簡便に形成する耐摩耗チェーンを提供すること。【解決手段】ブシュ端部１２０ａから滲出した潤滑油の外部漏出を抑制する油保留部Ｓが、内プレート１１０の外側面と外プレート１４０の内側面との間に設けられているとともに内プレート１１０の外側面に外プレート１４０に向って迫り上がった外側環状周縁部１１１と外プレート１４０の内側面に内プレート１１０に向って迫り上がった内側環状周縁部１４１とで封止されている耐摩耗チェーン１００。【選択図】図１
2013127300.tif 000002
【特許請求の範囲】
【請求項１】
離間配置された左右一対の内プレートと該内プレートのブシュ孔に圧入してブシュ端部を内プレートの外側面から一部突出させたブシュと該ブシュ内に遊嵌された連結ピンと該連結ピンを圧入嵌合した左右一対の外プレートとで構成され、前記内プレートと外プレートとをチェーン長手方向に交互に連結して、前記ブシュの内周面と連結ピンの外周面との間に潤滑油を封入した耐摩耗チェーンであって、
前記ブシュ端部から滲出した潤滑油の外部漏出を抑制する油保留部が、前記内プレートの外側面と外プレートの内側面との間に設けられているとともに前記内プレートの外側面に外プレートに向って迫り上がった外側環状周縁部と前記外プレートの内側面に内プレートに向って迫り上がった内側環状周縁部とで封止されていることを特徴とする耐摩耗チェーン。
【請求項２】
前記ブシュの端面が、前記外プレートの内側面に対して摺動可能に位置決めされているとともに、
前記内プレートの外側環状周縁部が、前記外プレートの内側環状周縁部に対して非接触状態で対向配置されていることを特徴とする請求項１に記載の耐摩耗チェーン。
【請求項３】
前記内プレートの外側環状周縁部と外プレートの内側環状周縁部とが、打抜プレス加工で形成されていることを特徴とする請求項１または請求項２に記載の耐摩耗チェーン。
【請求項４】
前記内プレートの外側環状周縁部と外プレートの内側環状周縁部とが、前記内プレートと外プレートの打抜プレス加工時に金型打抜方向に対して逆方向に突出していることを特徴とする請求項１または請求項２に記載の耐摩耗チェーン。
【発明の詳細な説明】
【技術分野】
【０００１】
本発明は、動力伝達や物品搬送等に用いる耐摩耗チェーン、詳しくは、ブシュ端部から滲出した潤滑油の外部漏出を抑制する油保留部を備えた耐摩耗チェーンに関するものである。
【背景技術】
【０００２】
従来の耐摩耗チェーンとして、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結され、ブシュとピンの遊嵌部分に潤滑油を導入してチェーンの屈曲を円滑にするチェーンが知られている（特許文献１参照）。
また、従来の耐摩耗チェーンとして、一対の内プレート１、１間に２個のブッシュ２、２を圧入した内リンク部材３とこの内リンク部材３における一方のブッシュ２に挿入されるピン４の両端に一対の外プレート５、５が固着された外リンク部材６とを交互に連結して、内プレート２と外プレート５とが向かい合う摺接面に潤滑保持凹部８が形成されてなるチェーンが知られている（特許文献２参照）。
【先行技術文献】
【特許文献】
【０００３】
【特許文献１】特開２００９−２７５８６５号公報（明細書［０００４］参照）
【特許文献２】特開２０００−８１０９６号公報（特許請求の範囲、図１参照）
【発明の開示】
【発明が解決しようとする課題】
【０００４】
しかしながら、前者のような耐摩耗チェーンは、ブシュと連結ピンとの間に封入された潤滑油がチェーン長手方向に働くチェーン張力によってブシュ端部からブシュの外に滲み出てブシュの内周面と連結ピンの外周面との間で潤滑油が不足すると油膜切れが生じるため、ブシュと連結ピンとが非潤滑状態で摺動して急速に摩耗損傷が進行したり焼き付きが生じる虞があるという問題があった。
また、ブシュ端部から滲出した潤滑油が内リンクプレートの平坦に形成された外側面と外リンクプレートの平坦に形成された内側面との間を通ってそのまま外部へ漏出しがちなため、頻繁に給油する必要がありメンテナンスの負担が重くなる虞があるという問題があった。
さらに、チェーンの屈曲動作の際に内リンクプレートの外側面と外リンクプレートの内側面とが互いに摺動してブシュ端部から滲出して内リンクプレートと外リンクプレートとの間の隙間に留まった僅かな潤滑油が内リンクプレートの外側面と外リンクプレートの内側面との摩擦熱に晒されて熱劣化するため、潤滑油の潤滑能力が低下する虞があるという問題があった。
【０００５】
また、後者のような耐摩耗チェーンは、潤滑油が外部へ漏出することを抑制する小さな潤滑保持凹部８を内プレート１の摺接面および外プレート５の摺接面に多数形成する座繰り加工等の機械加工を施す必要があるため、多大なチェーン製造負担を必要とするという問題があった。
【０００６】
そこで、本発明は、前述したような従来技術の問題を解決するものであって、すなわち、本発明の目的は、ブシュ端部から内プレートの外側面と外プレートの内側面との間に滲出した潤滑油の外部漏出を抑制してブシュと連結ピンとの潤滑油状態を長期に亘って維持するとともに潤滑油の熱劣化を回避し、しかも、潤滑油の外部漏出を抑制する油保留部を簡便に形成する耐摩耗チェーンを提供することである。
【課題を解決するための手段】
【０００７】
本請求項１に係る耐摩耗チェーンは、離間配置された左右一対の内プレートと該内プレートのブシュ孔に圧入してブシュ端部を内プレートの外側面から一部突出させたブシュと該ブシュ内に遊嵌された連結ピンと該連結ピンを圧入嵌合した左右一対の外プレートとで構成され、前記内プレートと外プレートとをチェーン長手方向に交互に連結して、前記ブシュの内周面と連結ピンの外周面との間に潤滑油を封入した耐摩耗チェーンであって、前記ブシュ端部から滲出した潤滑油の外部漏出を抑制する油保留部が、前記内プレートの外側面と外プレートの内側面との間に設けられているとともに前記内プレートの外側面に外プレートに向って迫り上がった外側環状周縁部と前記外プレートの内側面に内プレートに向って迫り上がった内側環状周縁部とで封止されていることにより、前述した課題を解決するものである。
【０００８】
本請求項２に係る耐摩耗チェーンは、請求項１に記載の耐摩耗チェーンの構成に加えて、前記ブシュの端面が、前記外プレートの内側面に対して摺動可能に位置決めされているとともに、前記内プレートの外側環状周縁部が、前記外プレートの内側環状周縁部に対して非接触状態で対向配置されていることにより、前述した課題を更に解決するものである。
【０００９】
本請求項３に係る耐摩耗チェーンは、請求項１または請求項２に記載の耐摩耗チェーンの構成に加えて、前記内プレートの外側環状周縁部と外プレートの内側環状周縁部とが、打抜プレス加工で形成されていることにより、前述した課題を更に解決するものである。
【００１０】
本請求項４に係る耐摩耗チェーンは、請求項１または請求項２に記載の耐摩耗チェーンの構成に加えて、前記内プレートの外側環状周縁部と外プレートの内側環状周縁部とが、前記内プレートと外プレートの打抜プレス加工時に金型打抜方向に対して逆方向に突出していることにより、前述した課題を更に解決するものである。
なお、本発明における「金型打抜方向」とは、母材に打抜加工を施して内プレートまたは外プレートを形成する際に、打抜加工用の金型（パンチ）が母材の表面に対して垂直に下降する方向を意味するものである。
【発明の効果】
【００１１】
本発明に係る耐摩耗チェーンは、離間配置された左右一対の内プレートとこれらの内プレートのブシュ孔に圧入してブシュ端部を内プレートの外側面から一部突出させたブシュとこのブシュ内に遊嵌された連結ピンとこの連結ピンを圧入嵌合した左右一対の外プレートとで構成され、内プレートと外プレートとをチェーン長手方向に交互に連結して、ブシュの内周面と連結ピンの外周面との間に潤滑油を封入していることにより、ブシュと連結ピンが潤滑油を介して円滑に摺動するだけでなく、以下のような本発明に特有の効果を奏することができる。
【００１２】
すなわち、本請求項１に係る発明の耐摩耗チェーンは、ブシュ端部から滲出した潤滑油の外部漏出を抑制する油保留部が内プレートの外側面と外プレートの内側面との間に設けられているとともに内プレートの外側面に外プレートに向って迫り上がった外側環状周縁部と外プレートの内側面に内プレートに向って迫り上がった内側環状周縁部とで封止されていることにより、ブシュ端部から内プレートの外側面と外プレートの内側面との間から外部に向けて漏出する潤滑油の漏出方向が内プレートのプレート周縁で外側環状周縁部に沿って偏向するとともに外プレートのプレート周縁で内側環状周縁部に沿って偏向して潤滑油が油保留部内で滞留し易くなるため、従来のような平坦に形成された内プレートの外側面と外プレートの内側面との間を通って潤滑油がそのまま外部へ漏出しがちな耐摩耗チェーンと比較すると、潤滑油の外部漏出を抑制することができ、また、このようにして潤滑油の外部漏出が抑制されることで油保留部内に留まっている潤滑油が油保留部からブシュと連結ピンとの間隙へ毛管現象を呈して戻るため、ブシュと連結ピンとの間に封入された潤滑油が減少してブシュの内周面と連結ブシュの外周面との間の潤滑状態が一時的に悪化した場合であっても、ブシュの内周面と連結ピンの外周面との間の潤滑状態を回復させることができる。
さらに、ブシュと連結ピンとの間の潤滑状態が長期に亘って維持されるため、ブシュおよび連結ピンの摺動摩耗に起因するチェーンの摩耗伸びや潤滑不良に起因する焼き付きを回避することができる。
そして、内プレートの外側環状周縁部が外プレートの内側面に向って迫り上がっているとともに外プレートの内側環状周縁部が内プレートの外側面に向って迫り上がっている分だけ内プレートの外側面と外プレートの内側面との間のクリアランスが狭小化されて油保留部内への異物侵入が妨げられるため、異物侵入を防止するシールリングを内プレートと外プレートとの間に別途設ける等して部品点数を増やすことなく油保留部内への異物侵入を抑制することができる。
【００１３】
本請求項２に係る発明の耐摩耗チェーンは、請求項１に記載の耐摩耗チェーンが奏する効果に加えて、ブシュの端面が外プレートの内側面に対して摺動可能に位置決めされているとともに、内プレートの外側環状周縁部が外プレートの内側環状周縁部に対して非接触状態で対向配置されていることにより、内プレートの外側面から突出したブシュ端部が内プレートの外側面と外プレートの内側面との間にクリアランスを設けて内プレートと外プレートとが接触することなく相互に屈曲するとともにチェーン屈曲時にブシュの端面および外プレートの内側面のみが摺動するため、従来のような内プレートの外側面と外プレートの内側面とが広範囲で摺動する耐摩耗チェーンと比較すると、チェーン屈曲時の摺動面積を低減して内プレートの外側面と外プレートの内側面との摺動に起因する摩擦熱の発生を抑制するとともに潤滑油の潤滑能力を長期に亘って維持することができ、また、ブシュの端面が外プレートの内側面に対して摺動可能に位置決めされていることにより、ブシュと連結ピンとの間に封入された潤滑油がブシュ端部から内プレートと外プレートとの間に滲出するまでに内プレートの外側面から突出したブシュ端部の長さの分だけ迂回する必要があるため、潤滑油がブシュ端部から滲出することを抑制することができる。
【００１４】
本請求項３に係る発明の耐摩耗チェーンは、請求項１または請求項２に記載の耐摩耗チェーンが奏する効果に加えて、内プレートの外側環状周縁部と外プレートの内側環状周縁部とが打抜プレス加工で形成されていることにより、内プレートのプレート周縁および外プレートのプレート周縁を湾曲状に塑性変形させる打抜プレス加工用の金型を用いるだけで外側環状周縁部や内側環状周縁部が形成されるため、内プレートの外側環状周縁部および外プレートの内側環状周縁部を切削等の機械加工で形成する場合と比較して、チェーンの製造負担を増大させることなく簡便に内プレートの外側環状周縁部および外プレートの内側環状周縁部を形成することができる。
【００１５】
本請求項４に係る発明の耐摩耗チェーンは、請求項１または請求項２に記載の耐摩耗チェーンが奏する効果に加えて、内プレートの外側環状周縁部と外プレートの内側環状周縁部とが内プレートと外プレートの打抜プレス加工時に金型打抜方向に対して逆方向に突出していることにより、内プレートおよび外プレートを打抜プレス加工する際に内プレートの打抜金型に接触する外側面のプレート周縁と外プレートの打抜金型に接触する内側面のプレート周縁とを金型打抜方向に対して逆方向に突出して塑性変形させる打抜プレス加工用の金型を用いるだけで内プレートおよび外プレートの打抜プレス加工と同時に内プレートの外側環状周縁部および外プレートの内側環状周縁部が形成されるため、内プレートおよび外プレートの打抜加工とは別に外側環状周縁部や内側環状周縁部を形成する機械加工を施してチェーンの製造負担を増大させることなく簡便に外側環状周縁部や内側環状周縁部を形成することができる。
【図面の簡単な説明】
【００１６】
【図１】本発明の第１実施例であるローラチェーンの連結状態を示す一部切欠斜視図。
【図２】図１に示すローラチェーンの概要図。
【図３】図１に示す内プレートの外側面を含む斜視図。
【図４】図１に示す内プレートの内側面を含む斜視図。
【図５】図１に示す外プレートの内側面を含む斜視図。
【図６】図１に示す外プレートの外側面を含む斜視図。
【図７】図２に示すローラチェーンの油保留部を示す説明図。
【図８】図７に示すＶＩＩＩ部の部分拡大図。
【図９】図７に示すＩＸ部の部分拡大図。
【図１０】本発明の第２実施例であるローラチェーンに用いる内プレートの斜視図。
【図１１】本発明の第２実施例であるローラチェーンに用いる外プレートの斜視図。
【図１２】本発明の第２実施例であるローラチェーンの油保留部を示す説明図。
【図１３】図１２に示すＸＩＩＩ部の部分拡大図。
【図１４】図１２に示すＸＩＶ部の部分拡大図。
【発明を実施するための形態】
【００１７】
本発明に係る耐摩耗チェーンは、離間配置された左右一対の内プレートとこれらの内プレートのブシュ孔に圧入してブシュ端部を内プレートの外側面から一部突出させたブシュとこのブシュ内に遊嵌された連結ピンとこの連結ピンを圧入嵌合した左右一対の外プレートとで構成され、内プレートと外プレートとをチェーン長手方向に交互に連結して、ブシュの内周面と連結ピンの外周面との間に潤滑油を封入して、ブシュ端部から滲出した潤滑油の外部漏出を抑制する油保留部が、内プレートの外側面と外プレートの内側面との間に設けられているとともに内プレートの外側面に外プレートに向って迫り上がった外側環状周縁部と外プレートの内側面に内プレートに向って迫り上がった内側環状周縁部とで封止されて、ブシュ端部から内プレートの外側面と外プレートの内側面との間に滲出した潤滑油の外部漏出を抑制してブシュと連結ピンとの潤滑油状態を長期に亘って維持するとともに潤滑油の熱劣化を回避し、しかも、潤滑油の外部漏出を抑制する油保留部を簡便に形成するものであれば、その具体的実施態様は、如何なるものであっても何ら構わない。
【００１８】
すなわち、本発明の耐摩耗チェーンは、連結ピンとブシュとの間に潤滑油を封入してなるチェーンであれば良く、例えば、内プレート、外プレート、連結ピン、ブシュで構成されるブシュチェーン、または、内プレート、外プレート、連結ピン、ブシュ、ローラで構成されるローラチェーンのいずれであっても良い。
【００１９】
本発明の耐摩耗チェーンに用いられる内プレートの外側環状周縁部および外プレートの内側環状周縁部の具体的形態については、ブシュ端部から滲出した潤滑油の外部漏出を抑制する油保留部が内プレートの外側環状周縁部と外プレートの内側環状周縁部とで封止されるものであればよく、内プレートの外側環状周縁部が内プレートのプレート周縁に向けて湾曲しながら迫り上がって形成される場合、または、外プレートの内側環状周縁部が外プレートのプレート周縁に向けて湾曲しながら迫り上がって形成される場合には、その曲面はいかなる曲率を有していても構わない。
また、内プレートの外側環状周縁部が打抜プレス加工時に金型打抜方向に対して逆方向に突出する場合、または、外プレートの内側環状周縁部が打抜プレス時に金型打抜方向に対して逆方向に突出する場合には、油保持部内から外部に漏出しようとする潤滑油の漏出方向を偏向するものであれば如何なる断面形状であっても良く、その形状は三角形状であっても矩形状であっても構わない。
【実施例】
【００２０】
以下に、本発明に係る第１実施例の耐摩耗チェーンであるローラチェーンについて、図面に基づいて説明する。
ここで、図１は、本発明の第１実施例であるローラチェーンの連結状態を示す一部切欠斜視図であり、図２は、図１に示すローラチェーンの概要図であり、図３は、図１に示す内プレートの外側面を含む斜視図であり、図４は、図１に示す内プレートの内側面を含む斜視図であり、図５は、図１に示す外プレートの内側面を含む斜視図であり、図６は、図１に示す外プレートの外側面を含む斜視図であり、図７は、図２に示すローラチェーンの油保留部を示す説明図であり、図８は、図７に示すＶＩＩＩ部の部分拡大図であり、図９は、図７に示すＩＸ部の部分拡大図である。
【００２１】
まず、本発明の第１実施例であるローラチェーン１００は、図１および図２に示すように、離間配置された左右一対の内プレート１１０、１１０と、内プレート１１０のブシュ孔１１０ｈに圧入してブシュ端部１２０ａを内プレート１１０の外側面１１０ａから一部突出させたブシュ１２０と、ブシュ１２０内に遊嵌された連結ピン１３０と、連結ピン１３０を圧入嵌合した左右一対の外プレート１４０、１４０と、ブシュ１２０の外周に遊嵌されたローラ１５０とで構成され、内プレート１１０と外プレート１４０とをチェーン長手方向に交互に連結し、ブシュ１２０の内周面１２０ｓと連結ピン１３０の外周面１３０ｓとの間に潤滑油を封入している。
【００２２】
また、上述したブシュ端部１２０ａから滲出した潤滑油の外部漏出を抑制する油保留部Ｓは、図３乃至図７に示すように、内プレート１１０の外側面１１０ａと外プレート１４０の内側面１４０ａとの間に設けられているとともに、内プレート１１０の外側面１１０ａに外プレート１４０に向って迫り上がった外側環状周縁部１１１と外プレート１４０の内側面１４０ａに内プレート１１０に向って迫り上がった内側環状周縁部１４１とで封止されている。
これにより、ブシュ端部１２０ａから内プレート１１０の外側面１１０ａと外プレート１４０の内側面１４０ａとの間から外部に向けて漏出する潤滑油の漏出方向が、図８中の矢印に示すように、内プレート１１０のプレート周縁で外側環状周縁部１１１に沿って偏向するとともに、図９中の矢印に示すように、外プレート１４０のプレート周縁で内側環状周縁部１４１に沿って偏向して、漏出しようとする潤滑油が油保留部Ｓ内で滞留し易くなっている。
また、このようにして潤滑油の外部漏出が抑制されることで油保留部Ｓ内に留まっている潤滑油が、油保留部Ｓからブシュ１２０と連結ピン１３０との間へ毛管現象を呈して戻り、ブシュ１２０と連結ピン１３０との間の潤滑状態が長期に亘って維持されている。
さらに、内プレート１１０の外側環状周縁部１１１が外プレート１４０の内側面１４０ａに向って迫り上がっているとともに外プレート１４０の内側環状周縁部１４１が内プレート１１０の外側面１１０ａに向って迫り上がっている分だけ内プレート１１０の外側面１１０ａと外プレート１４０の内側面１４０ａとの間のクリアランスが狭小化されて油保留部Ｓ内への異物侵入が妨げられるようになっている。
【００２３】
また、前述したブシュ１２０の端面１２０ａｓは、外プレート１４０の内側面１４０ａに対して摺動可能に位置決めされている。
また、内プレート１１０の外側環状周縁部１１１は、外プレート１４０の内側環状周縁部１４１に対して非接触状態で対向配置されている。
これにより、内プレート１１０の外側面１１０ａから突出したブシュ端部１２０ａが、内プレート１１０の外側面１１０ａと外プレート１４０の内側面１４０ａとの間にクリアランスを設けて内プレート１１０と外プレート１４０とが接触することなく相互に屈曲するとともにチェーン屈曲時にブシュ１２０の端面１２０ａｓおよび外プレート１４０の内側面１４０ａのみが摺動している。
また、ブシュ１２０と連結ピン１３０との間に封入された潤滑油がブシュ端部１２０ａから内プレート１１０と外プレート１４０との間に滲出するまでに内プレート１１０の外側面１１０ａから突出したブシュ端部１２０ａの長さの分だけ迂回するようになっている。
【００２４】
そして、内プレート１１０の外側環状周縁部１１１と外プレート１４０の内側環状周縁部１４１とは、打抜プレス加工で形成されている。
これにより、内プレート１１０のプレート周縁を内プレート１１０の内側面１１０ｂから外側面１１０ａに向って湾曲状に塑性変形させる、あるいは、外プレート１４０のプレート周縁を外プレート１４０の外側面１４０ｂから内側面１４０ａに向ってそれぞれ湾曲状に塑性変形させる打抜プレス加工用の金型を用いるだけで内プレート１１０の外側環状周縁部１１１と外プレート１４０の内側環状周縁部１４１とが形成可能になっている。
【００２５】
このようにして得られた本実施例のローラチェーン１００は、ブシュ端部１２０ａから滲出した潤滑油の外部漏出を抑制する油保留部Ｓが内プレート１１０の外側面１１０ａと外プレート１４０の内側面１４０ａとの間に設けられているとともに内プレート１１０の外側面１１０ａに外プレート１４０に向って迫り上がった外側環状周縁部１１１と外プレート１４０の内側面１４０ａに内プレート１１０に向って迫り上がった内側環状周縁部１４１とで封止されていることにより、従来のような平坦に形成された内プレートの外側面と外プレートの内側面との間を通って潤滑油がそのまま外部へ漏出しがちな耐摩耗チェーンと比較すると、潤滑油の外部漏出を抑制することができる。
また、ブシュ１２０と連結ピン１３０との間に封入された潤滑油が減少してブシュ１２０の内周面１２０ｓと連結ブシュ１３０の外周面１３０ｓとの間の潤滑状態が一時的に悪化した場合であっても、ブシュ１２０の内周面１２０ｓと連結ピン１３０の外周面１３０ｓとの間の潤滑状態を回復させることができ、また、ブシュ１２０および連結ピン１３０の摺動摩耗に起因するチェーンの摩耗伸びや潤滑不良に起因する焼き付きを回避することができ、さらに、異物侵入を防止するシールリングを内プレートと外プレートとの間に別途設ける等して部品点数を増やすことなく油保留部Ｓ内への異物侵入を抑制することができる。
【００２６】
また、ブシュ１２０の端面１２０ａｓが外プレート１４０の内側面１４０ａに対して摺動可能に位置決めされているとともに、内プレート１１０の外側環状周縁部１１１が外プレート１４０の内側環状周縁部１４１に対して非接触状態で対向配置されていることにより、潤滑油がブシュ端部１２０ａから滲出することを抑制するとともに、従来のような内プレートの外側面と外プレートの内側面とが広範囲で摺動する耐摩耗チェーンと比較すると、チェーン屈曲時の摺動面積を低減して内プレート１１０の外側面１１０ａと外プレート１４０の内側面１４０ａとの摺動に起因する摩擦熱の発生を抑制するとともに潤滑油の潤滑能力を長期に亘って維持することができる。
【００２７】
そして、内プレート１１０の外側環状周縁部１１１と外プレート１４０の内側環状周縁部１４１とが打抜プレス加工で形成されていることにより、内プレート１１０の外側環状周縁部１１１および外プレート１４０の内側環状周縁部１４１を切削等の機械加工で形成する場合と比較して、チェーンの製造負担を増大させることなく簡便に内プレート１１０の外側環状周縁部１１１および外プレート１４０の内側環状周縁部１４１を形成することができる等、その効果は甚大である。
【００２８】
次に、本発明に係る第２実施例の耐摩耗チェーンであるローラチェーンについて、図面に基づいて説明する。
ここで、図１０は、本発明の第２実施例であるローラチェーンに用いる内プレートの外側面を含む斜視図であり、図１１は、本発明の第２実施例であるローラチェーンに用いる外プレートの内側面を含む斜視図であり、図１２は、本発明の第２実施例であるローラチェーンの油保留部を示す説明図であり、図１３は、図１２に示すＸＩＩＩ部の部分拡大図であり、図１４は、図１２に示すＸＩＶ部の部分拡大図である。
【００２９】
そこで、本発明の第２実施例であるローラチェーン２００は、上述した第１実施例のローラチェーン１００と比較すると、図１０乃至図１２に示すように、内プレートの外側環状周縁部と外プレートの内側環状周縁部の具体的な形態が異なっており、その余の部品形態については、基本的に何ら変わることがないため、上述した第１実施例のローラチェーン１００と同一の部材について対応する２００番台の符号を付すことにより、その重複する説明を省略する。
【００３０】
すなわち、内プレート２１０の外側環状周縁部２１１と外プレート２４０の内側環状周縁部２４１とは、図１３および図１４に示すように、内プレート２１０と外プレート２４０の打抜プレス加工時に金型打抜方向Ｄに対して逆方向に突出している。
なお、本実施例では、内プレート２１０の外側環状周縁部２１１と外プレート２４０の内側環状周縁部２４１とは、それぞれ三角形状断面を呈しているが、油保持部Ｓ内から外部に漏出しようとする潤滑油の漏出方向を偏向するものであれば如何なる形状であっても構わない。
これにより、内プレート２１０および外プレート２４０を打抜プレス加工する際に内プレート２１０の打抜金型に接触する外側面２１０ａのプレート周縁と外プレート２４０の打抜金型に接触する内側面２４０ａのプレート周縁とを金型打抜方向Ｄに対して逆方向に突出して塑性変形させる打抜プレス加工用の金型を用いるだけで内プレート２１０および外プレート２４０の打抜プレス加工と同時に内プレート２１０の外側環状周縁部２１１および外プレート２４０の内側環状周縁部２４１が形成されるようになっている。
【００３１】
このようにして得られた本発明の第２実施例であるローラチェーン２００は、前述したローラチェーン１００が奏する効果に加えて、内プレート２１０の外側環状周縁部２１１と外プレート２４０の内側環状周縁部２４１とが内プレート２１０と外プレート２４０の打抜プレス加工時に金型打抜方向Ｄに対して逆方向に突出していることにより、内プレート２１０および外プレート２４０の打抜加工とは別に外側環状周縁部２１１や内側環状周縁部２４１を形成する機械加工を施してチェーンの製造負担を増大させることなく簡便に外側環状周縁部２１１や内側環状周縁部２４１を形成することができる等、その効果は甚大である。
【符号の説明】
【００３２】
１００、２００  ・・・  ローラチェーン
１１０、２１０  ・・・  内プレート
１１０ｈ、２１０ｈ・・・ブシュ孔
１１０ａ、２１０ａ・・・（内プレートの）外側面
１１０ｂ、２１０ｂ・・・（内プレートの）内側面
１１１、２１１  ・・・  外側環状周縁部
１２０、２２０  ・・・  ブシュ
１２０ａ、２２０ａ・・・ブシュ端部
１２０ａｓ、２２０ａｓ・・・（ブシュの）端面
１２０ｓ、２２０ｓ・・・（ブシュの）内周面
１３０、２３０  ・・・  連結ピン
１３０ｓ、２３０ｓ・・・（連結ピンの）外周面
１４０、２４０  ・・・  外プレート
１４０ａ、２４０ａ・・・（外プレートの）内側面
１４０ｂ、２４０ｂ・・・（外プレートの）外側面
１４１、２４１  ・・・  内側環状周縁部
Ｓ  ・・・  油保留部
Ｄ  ・・・  金型打抜方向
【図１】
2013127300.tif 000003
【図２】
2013127300.tif 000004
【図３】
2013127300.tif 000005
【図４】
2013127300.tif 000006
【図５】
2013127300.tif 000007
【図６】
2013127300.tif 000008
【図７】
2013127300.tif 000009
【図８】
2013127300.tif 000010
【図９】
2013127300.tif 000011
【図１０】
2013127300.tif 000012
【図１１】
2013127300.tif 000013
【図１２】
2013127300.tif 000014
【図１３】
2013127300.tif 000015
【図１４】
2013127300.tif 000016